(57)【特許請求の範囲】
【請求項１】
第１の筐体と、前記第１の筐体の一部と連結されたヒンジ部と、前記第１の筐体とヒンジ部を介してヒンジ結合され、第１ケースと第２ケースとからなる前記第１の筐体とは異なる第２の筐体とを備え、
前記ヒンジ部は、前記第１の筐体と前記第２の筐体を開閉自在に支持する開閉軸と、前記開閉軸が貫通されて保持されたシャフト状の外筒と、前記外筒の少なくとも一端部に設けられた連結ブラケットとを有し、
前記第１の筐体の前記第１ケースは、前記外筒を受ける半円筒状の外筒受部と、略円柱形状を有する少なくとも１つの突起部とを有し、
前記外筒受部には前記外筒を受ける凹部が形成され、前記外筒がこの凹部に嵌入された状態で、前記突起部は、前記連結ブラケットに設けられた略Ｕ字状の開口に嵌入して前記連結ブラケットと内接される一方、前記連結ブラケットには、前記外筒を前記外筒受部に固定する固定用嵌合突起が設けられるとともに、前記外筒受部の内周側には前記固定用嵌合突起が嵌入する嵌合溝が設けられ、前記外筒がこの凹部に嵌入された状態で、前記固定用嵌合突起は前記嵌合溝に嵌入されたことを特徴とする携帯端末。
【請求項２】
前記固定用嵌合突起は、前記連結ブラケットのうち、前記連結ブラケットが前記外筒がこの凹部に嵌入された状態で前記外筒受部に内接するいずれかの部分に設けられることを特徴とする請求項１に記載の携帯端末。
【請求項３】
前記固定用嵌合突起は、前記連結ブラケットが有する幅以下の所定の幅を有することを特徴とする請求項１に記載の携帯端末。
【発明の詳細な説明】
【技術分野】
【０００１】
本発明は携帯端末に係り、特に、２つの筐体をヒンジ部を介してヒンジ結合させた折り畳み式の携帯端末に関する。
【背景技術】
【０００２】
近年、様々な形態を有する携帯電話機が提案されている。例えばストレート式の携帯電話機、ストレートスタイルのキーパッド部分を回動可能な蓋により覆うようにしたフリップ式のものや、折り畳み式の携帯電話機、スライド式の携帯電話機などが提案されている。
【０００３】
折り畳み式の携帯電話機の場合、一般に、本体側の筐体である下部筐体と、メインディスプレイが搭載される上部筐体がヒンジ部を介してヒンジ結合されており、下部筐体と上部筐体が開閉可能に構成されている。携帯電話機を組立てる工程においては、ヒンジ部は、下部筐体を構成する下内ケースと下外ケースとの間に挟み込まれて固定される。
【０００４】
なお、折り畳み式の携帯電話機のヒンジ機構に関連する技術として、特開２００６−２４２２２０号公報に記載されている技術が知られている。
【特許文献１】特開２００６−２４２２２０号公報
【発明の開示】
【発明が解決しようとする課題】
【０００５】
上述したように、携帯電話機を組立てる工程では、まず、ヒンジ部は上部筐体の一部と連結された上で、このヒンジ部は下部筐体の下内ケースと下外ケースとの間に挟み込まれて固定される場合がある。ところが、ヒンジ部は、下内ケースに対してヒンジ部が嵌め込まれた後、下内ケースに対して下外ケースを組むことによって両ケースの間に挟み込まれて固定される組み立て方法の場合は、下内ケースに対して下外ケースを組まれて固定されるまでは下内ケースに対して完全には固定し得ない。
【０００６】
そのため、携帯電話機を組立てる工程において、下内ケースに対してヒンジ部が嵌め込まれた後の作業中に、下内ケースに固定するためにヒンジ部に設けられたブラケットの端面を支点として、上部筐体の一部に対して下方から上方に向かって押圧力が加えられると、下内ケースに嵌め込まれたヒンジ部が簡単に外れてしまい、組み立てづらいという課題があった。
【０００７】
そのため、携帯電話機を組立てる工程においては、嵌め込まれたヒンジ部が下内ケースから外れないように注意深く作業することが要求され、携帯電話機の組立て工程にて効率的に作業を行うことが困難であった。
【０００８】
本発明は、このような状況に鑑みてなされたものであり、下部筐体に対して嵌め込まれられるべきヒンジ部を、容易に固定することができ、携帯端末の組立て工程において効率的に作業を行うことができる携帯端末を提供することを目的とする。
【課題を解決するための手段】
【０００９】
本発明の携帯端末は、上述した課題を解決するために、第１の筐体と、第１の筐体の一部と連結されたヒンジ部と、第１の筐体とヒンジ部を介してヒンジ結合され、第１ケースと第２ケースとからなる第１の筐体とは異なる第２の筐体とを備え、ヒンジ部は、第１の筐体と第２の筐体を開閉自在に支持する開閉軸と、開閉軸が貫通されて保持されたシャフト状の外筒と、外筒の少なくとも一端部に設けられた連結ブラケットとを有し、第２の筐体第１ケースは、外筒を受ける半円筒状の外筒受部と、略円柱形状を有する少なくとも１つの突起部とを有し、外筒受部には外筒を受ける凹部が形成され、外筒がこの凹部に嵌入された状態で、突起部は、連結ブラケットに設けられた略Ｕ字状の開口に嵌入して連結ブラケットと内接される一方、連結ブラケットには、外筒を外筒受部に固定する固定用嵌合突起が設けられるとともに、外筒受部の内周側には固定用嵌合突起が嵌入する嵌合溝が設けられ、外筒がこの凹部に嵌入された状態で、固定用嵌合突起は嵌合溝に嵌入されたことを特徴とする。
【発明の効果】
【００１０】
本発明によれば、下部筐体に対して嵌め込まれられるべきヒンジ部を、容易に固定することができ、携帯端末の組立て工程において効率的に作業を行うことができる。
【発明を実施するための最良の形態】
【００１１】
以下、本発明の実施の形態について、図面を参照しながら説明する。
【００１２】
図１および図２は、本発明に係る携帯端末に適用可能な折り畳み式の携帯電話機１の組立て時における一部の外観の構成を表している。図１は、折り畳み式の携帯電話機１の組立て前における一部の外観の構成を表しており、図２は、折り畳み式の携帯電話機１の組立て後における一部の外観の構成を表している。
【００１３】
図１に示されるように、携帯電話機１の組立て時においては、まず、ヒンジ部１１（斜線で表した部分）が上部筐体１２の一部の連結部品１３に連結され、その後、ヒンジ部１１が連結された連結部品１３（上部筐体１２）が下部筐体１４に嵌め込まれ、その嵌め込み状態にてその他の部品の配設作業が順次行われる。
【００１４】
組立て後においては、図２に示されるように、携帯電話機１は、ヒンジ部１１を境に下部筐体１２と上部筐体１３とがヒンジ結合され、ヒンジ部１１を介して矢印Ｘ方向に折り畳み可能に形成されることになる。下部筐体１２は本体側の筐体であり、図示せぬ操作キーなどが設けられる。また、下部筐体１２は、操作キー側の下内ケース１５と、操作キー側に対して背面側の下外ケース（図示せず）からなる。一方、上部筐体１３は、液晶ディスプレイなどからなるメインディスプレイ（図示せず）が設けられており、ヒンジ部１１に連結された連結部品１３に他の部品が順次固定される。
【００１５】
ここで、ヒンジ部１１は、上部筐体１２と下部筐体１４を開閉自在に支持する開閉軸（図示せず）と、開閉軸が貫通されて保持されたシャフト状の外筒１６と、外筒１６の両端部に設けられた一対の連結ブラケット１７−ａおよび１７−ｂにより構成される。また、ヒンジ部１１には、外筒１６内において開閉軸を受けるための開閉軸受部（図４の開閉軸受部２１）が設けられている。なお、ヒンジ部１１が上部筐体１２の一部の連結部品１３に連結される場合、外筒１６に貫通された開閉軸の両端は、連結部品１３にそれぞれ固定される。
【００１６】
一方、下部筐体１４の下内ケース１５には、外筒１６を受ける半円筒状の外筒受部１８と、略円柱形状を有する２つの突起部１９−ａおよび１９−ｂが設けられる。この外筒受部１８には外筒１６を受ける凹部が形成されている。また、これらの突起部１９−ａおよび１９−ｂは、ヒンジ部１１の外筒１６に設けられた一対の連結ブラケット１７−ａと１７−ｂにそれぞれ対向する位置に設けられている。
【００１７】
次に、ヒンジ部１１が連結された連結部品１３（上部筐体１２）が下部筐体１４に嵌め込まれる際には、外筒１６が矢印Ｙの方向から、外筒受部１８に形成されている凹部に嵌入される。このとき、外筒１６が凹部に嵌入された状態で、突起部１９−aおよび１９−ｂは、連結ブラケット１７−ａおよび１７−ｂに設けられた略Ｕ字状の開口に嵌入して連結ブラケット１７−ａと１７−ｂとにそれぞれ内接される。
【００１８】
図３は、折り畳み式の携帯電話機１の組立て後における一部の平面図である。図３に示されるように、外筒１６が外筒受部１８に形成されている凹部に嵌入されて、連結部品１３（上部筐体１２）が下部筐体１４に嵌め込まれる。
【００１９】
ところが、ヒンジ部１１は、下内ケース１５に対してヒンジ部１１が嵌め込まれた後に、下内ケース１５に対して下外ケースを組むことによって両ケースの間に挟み込まれて固定されるまでは、下内ケース１５に対して完全には固定し得ない。そのため、例えば図４（図４は、図３のＭ―Ｍ´線上における断面）に示されるように、携帯電話機１を組立てる工程において、下内ケース１５に対してヒンジ部１１が嵌め込まれた後の作業中に、下内ケース１５に固定するためにヒンジ部１１に設けられた連結ブラケット１７−aまたは１７−ｂの端面を支点として、上部筐体１２の連結部品１３などに対して図４の矢印に示される下方から上方に向かって押圧力が加えられると、加えられた押圧力に伴って下内ケース１５からヒンジ部１１が浮いてしまい、下内ケース１５に嵌め込まれたヒンジ部１１が簡単に外れてしまう。
【００２０】
そのため、携帯電話機１を組立てる工程においては、嵌め込まれたヒンジ部１１が下内ケース１５から外れないように注意深く作業することが要求され、携帯電話機１の組立て工程にて効率的に作業を行うことが困難であった。
【００２１】
ここで、これまでにおいては、外筒１６が外筒受部１８に形成されている凹部に嵌入される際に、図５（Ａ）（図３のＮ―Ｎ´線上における断面）に示されるように、外筒１６に設けられた連結ブラケット１７−ａは単に外筒受部１８の内周側に内接しているだけあった。そのため、上部筐体１２の連結部品１３などに対して図４の矢印に示される下方から上方に向かって押圧力が加えられると、加えられた押圧力に伴って回転トルクが発生してしまい、下内ケース１５からヒンジ部１１が浮いてしまうと考えられる。
【００２２】
そこで、図５（Ｂ）（図３のＮ―Ｎ´線上における断面）に示されるように、連結ブラケット１７−ａの所定の位置に、外筒１６（ヒンジ部１１）を外筒受部１８に固定する固定用嵌合突起２２を設けるようにする。なお、固定用嵌合突起２２は、連結ブラケット１７の有する幅と同じ程度の幅を有する（勿論、連結ブラケット１７の有する幅と異なるより大きい幅や小さい幅を有するようにしてもよい）。一方、外筒受部１８の内周側の所定の位置に、固定用嵌合突起２２が嵌入する嵌合溝２３を設けるようにする。そうすると、外筒１６が外筒受部１８に形成される凹部に嵌入された状態で、連結ブラケット１７−ａの固定用嵌合突起２２は外筒受部１８の嵌合溝２３に嵌入される。これにより、外筒１６が外筒受部１８に形成される凹部に嵌入された状態で、上部筐体１２の連結部品１３などに対して図４の矢印に示される下方から上方に向かって押圧力が加えられたとしても、嵌合溝２３に嵌入された固定用嵌合突起２２が嵌合溝２３に圧接されることで、その押圧力に伴って回転トルクに対抗する応力が発生し、下内ケース１５が加えられた押圧力に対応する回転方向に回転することを防止することができる。従って、下部筐体１４の下内ケース１５に対して嵌め込まれたヒンジ部１１を、下内ケース１５に固定（仮固定）することができる。その結果、携帯電話機の組立工程にてより効率的に、好適に作業を行うことができる。
【００２３】
なお、連結ブラケット１７に設けられる固定用嵌合突起２２の形状は、外筒受部１８の嵌合溝２３の形状に合う形状でありさえすればよく、その形状は特に限定されない。また、これらの固定用嵌合突起２２と嵌合溝２３は一対設けるようにしたが、このような場合に限られず、複数設けるようにしてもよい。
【００２４】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【図面の簡単な説明】
【００２５】
【図１】本発明に係る携帯端末に適用可能な折り畳み式の携帯電話機の組立て前における一部の外観斜視図。
【図２】折り畳み式の携帯電話機の組立て後における一部の外観斜視図。
【図３】折り畳み式の携帯電話機の組立て後における一部の平面図。
【図４】図３のＭ−Ｍ´線上における断面図。
【図５】（Ａ）および（Ｂ）は、図３のＮ−Ｎ´線上における断面図。
【符号の説明】
【００２６】
１…携帯電話機、１１…ヒンジ部、１２…上部筐体、１３…連結部品、１４…下部筐体、１５…下内ケース、１６…外筒、１７（１７−ａおよび１７−ｂ）…連結ブラケット、１８…外筒受部、１９（１９−ａおよび１９−ｂ）…突起部、２１…開閉軸受部、２２…固定用嵌合突起、２３…嵌合溝。
【図１】
0004846691.tif 000002
【図２】
0004846691.tif 000003
【図３】
0004846691.tif 000004
【図４】
0004846691.tif 000005
【図５】
0004846691.tif 000006